(57)【要約】【課題】  ショッピングサイトにおける商品等の様々なコンテンツを携帯電話端末機によって極めて容易に検索する。【解決手段】  情報検索システムにおける情報検索サーバは、ウェブサーバが開設しているウェブサイトにおける検索対象としてのコンテンツの特定情報を掲載しているウェブページから当該特定情報を項目として抽出し、抽出した各項目をインデックスとして作成し、このインデックスに基づく検索結果を示す情報を携帯電話端末機に対して送信する。【選択図】  図３
2006189980.tif 000002
【特許請求の範囲】
【請求項１】
ウェブサイトを検索する情報検索システムであって、
携帯電話端末機と、
上記携帯電話端末機からの要求に応じて、当該携帯電話端末機によってアクセス可能なウェブサイトの検索を行う情報検索サーバと、
上記情報検索サーバの検索対象としてのコンテンツの特定情報を掲載しているウェブサイトを開設している複数のウェブサーバとを備え、
上記情報検索サーバは、上記ウェブサーバが開設しているウェブサイトにおけるウェブページから上記特定情報を項目として抽出し、抽出した各項目をインデックスとして作成し、上記インデックスに基づく検索結果を示す情報を上記携帯電話端末機に対して送信すること
を特徴とする情報検索システム。
【請求項２】
上記情報検索サーバは、検索対象とする特定情報を掲載しているウェブサイトについての表示構造を示すテンプレートに基づいて、上記ウェブページの構文解析を行い、上記特定情報を項目として抽出すること
を特徴とする請求項１記載の情報検索システム。
【請求項３】
上記情報検索サーバは、上記ウェブページにおける上記特定情報に該当する語句を識別する所定のタグに基づいて、上記特定情報を項目として抽出すること
を特徴とする請求項１記載の情報検索システム。
【請求項４】
上記情報検索サーバは、上記携帯電話端末機を介して入力された検索キーワードと上記インデックスとして作成された特定情報を構成する語句との一致を判断し、検索された上記ウェブページのランク付けを行うこと
を特徴とする請求項１記載の情報検索システム。
【請求項５】
上記情報検索サーバは、上記携帯電話端末機を介して入力された検索キーワードと上記インデックスとして作成された特定情報を構成する語句とが完全一致した場合には、そのウェブページについて所定の点数を加算し、当該ウェブページのランク付けを行うこと
を特徴とする請求項４記載の情報検索システム。
【請求項６】
上記情報検索サーバは、上記インデックスとして作成された特定情報を構成する語句の中に、特定の語句が含まれていた場合には、そのウェブページについて所定の点数を加算又は減算し、ウェブページのランク付けを行うこと
を特徴とする請求項４記載の情報検索システム。
【請求項７】
上記情報検索サーバは、上記特定情報によって示されるコンテンツの紹介用画像データの有無を判断し、検索された上記ウェブページのランク付けを行うこと
を特徴とする請求項１記載の情報検索システム。
【請求項８】
上記情報検索サーバは、少なくとも検索キーワードを入力させるとともに検索結果の閲覧を行うための検索サイトを上記携帯電話端末機の表示画面に表示させること
を特徴とする請求項１記載の情報検索システム。
【請求項９】
上記情報検索サーバは、検索結果の一覧リストからなるウェブページを、上記携帯電話端末機の上記表示画面に表示させること
を特徴とする請求項８記載の情報検索システム。
【請求項１０】
携帯電話端末機からの要求に応じて、当該携帯電話端末機によってアクセス可能なウェブサイトを検索する情報検索サーバであって、
検索対象としてのコンテンツの特定情報を掲載しているウェブサイトを開設している複数のウェブサーバにアクセスする手段と、
上記ウェブサーバが開設しているウェブサイトにおけるウェブページから上記特定情報を項目として抽出する手段と、
抽出した各項目をインデックスとして作成する手段と、
上記インデックスに基づく検索結果を示す情報を上記携帯電話端末機に対して送信する手段とを備えること
を特徴とする情報検索サーバ。
【請求項１１】
携帯電話端末機からの要求に応じて、当該携帯電話端末機によってアクセス可能なウェブサイトを検索する情報検索方法であって、
検索対象としてのコンテンツの特定情報を掲載しているウェブサイトを開設している複数のウェブサーバにアクセスする工程と、
上記ウェブサーバが開設しているウェブサイトにおけるウェブページから上記特定情報を項目として抽出する工程と、
抽出した各項目をインデックスとして作成する工程と、
上記インデックスに基づく検索結果を示す情報を上記携帯電話端末機に対して送信する工程とを備えること
を特徴とする情報検索方法。
【請求項１２】
携帯電話端末機からの要求に応じて、当該携帯電話端末機によってアクセス可能なウェブサイトを検索するコンピュータ実行可能な情報検索プログラムであって、
検索対象としてのコンテンツの特定情報を掲載しているウェブサイトを開設している複数のウェブサーバにアクセスする処理と、
上記ウェブサーバが開設しているウェブサイトにおけるウェブページから上記特定情報を項目として抽出する処理と、
抽出した各項目をインデックスとして作成する処理と、
上記インデックスに基づく検索結果を示す情報を上記携帯電話端末機に対して送信する処理とを備えること
を特徴とする情報検索プログラム。
【発明の詳細な説明】
【技術分野】
【０００１】
本発明は、携帯電話端末機によってアクセス可能なウェブサイトを検索する情報検索システム、情報検索サーバ、情報検索方法、及び情報検索プログラムに関する。
【背景技術】
【０００２】
近年、携帯電話端末機が著しく普及しているが、かかる普及は、通話機能のみならず、インターネットへの接続や電子メールの授受等の機能を搭載したことが大きな理由とされており、現在では、例えば特許文献１等に開示された商品を購入可能なショッピングサイトや、特許文献２等に開示された商品の競売を行うオークションサイトといったように、いわゆるＢ２Ｃ（Business to Consumer）やＢ２Ｂ（Business to Business）といった電子商取引等のインターネットサービスも提供されている。
【０００３】
【特許文献１】特開２００４−４６５０３号公報
【特許文献２】特開２００３−９９６３９号公報
【発明の開示】
【発明が解決しようとする課題】
【０００４】
しかしながら、上述した特許文献１及び特許文献２に記載された技術をはじめとする従来の技術は、決められたサーバによって提供されるウェブサイトにて取り扱われる商品等のみを対象としていることから、当該サーバによって提供されるウェブサイトの存在を知らない場合や、同様のサービスを提供する複数のウェブサイトから所望の商品等を検索する場合には適用することができないものであった。
【０００５】
また、携帯電話端末機においては、パーソナルコンピュータによる通常のウェブサイト検索手法を踏襲し、所望の商品等を検索するために、所定の検索サイトを用いたキーワード検索等により、複数のウェブサイトを検索対象とした検索を行うこともできる。しかしながら、かかる手法による検索結果は、該当するウェブサイトにおける商品等に対するリンクが設けられたウェブページや、当該ウェブサイトのトップページといったように、ウェブページの一覧リストを示す情報にすぎなかった。したがって、従来の検索手法は、検索結果として表示画面に表示された一覧リストの中からユーザが任意の項目を選択し、アクセスしたウェブページの中から所望の商品等を当該ユーザが自発的に探索する必要があり、使い勝手が悪い感が否めないものであった。
【０００６】
本発明は、このような実情に鑑みてなされたものであり、商品等の様々なコンテンツを携帯電話端末機によって極めて容易に検索することができる情報検索システム、情報検索サーバ、情報検索方法、及び情報検索プログラムを提供することを目的とする。
【課題を解決するための手段】
【０００７】
上述した目的を達成する本発明にかかる情報検索システムは、ウェブサイトを検索する情報検索システムであって、携帯電話端末機と、上記携帯電話端末機からの要求に応じて、当該携帯電話端末機によってアクセス可能なウェブサイトの検索を行う情報検索サーバと、上記情報検索サーバの検索対象としてのコンテンツの特定情報を掲載しているウェブサイトを開設している複数のウェブサーバとを備え、上記情報検索サーバは、上記ウェブサーバが開設しているウェブサイトにおけるウェブページから上記特定情報を項目として抽出し、抽出した各項目をインデックスとして作成し、上記インデックスに基づく検索結果を示す情報を上記携帯電話端末機に対して送信することを特徴としている。
【０００８】
このような本発明にかかる情報検索システムにおいては、情報検索サーバによってウェブサーバが開設しているウェブサイトにおけるウェブページから特定情報を項目として抽出し、抽出した各項目をインデックスとして作成し、このインデックスに基づく検索結果を示す情報を携帯電話端末機に対して送信することから、複数のウェブサーバのそれぞれに格納されているウェブページを検索対象とする専用の検索エンジンを提供することができる。
【０００９】
ここで、上記情報検索サーバは、検索対象とする特定情報を掲載しているウェブサイトについての表示構造を示すテンプレートに基づいて、上記ウェブページの構文解析を行い、上記特定情報を項目として抽出することができる。また、上記情報検索サーバは、上記ウェブページにおける上記特定情報に該当する語句を識別する所定のタグに基づいて、上記特定情報を項目として抽出するようにしてもよい。
【００１０】
また、上記情報検索サーバは、上記携帯電話端末機を介して入力された検索キーワードと上記インデックスとして作成された特定情報を構成する語句との一致を判断し、検索された上記ウェブページのランク付けを行う。このとき、上記情報検索サーバは、上記携帯電話端末機を介して入力された検索キーワードと上記インデックスとして作成された特定情報を構成する語句とが完全一致した場合には、そのウェブページについて所定の点数を加算し、当該ウェブページのランク付けを行う。また、上記情報検索サーバは、上記インデックスとして作成された特定情報を構成する語句の中に、特定の語句が含まれていた場合には、そのウェブページについて所定の点数を加算又は減算し、ウェブページのランク付けを行う。さらに、上記情報検索サーバは、上記特定情報によって示されるコンテンツの紹介用画像データの有無を判断し、検索された上記ウェブページのランク付けを行うこともできる。
【００１１】
なお、上記情報検索サーバは、少なくとも検索キーワードを入力させるとともに検索結果の閲覧を行うための検索サイトを上記携帯電話端末機の表示画面に表示させる。そして、上記情報検索サーバは、検索結果の一覧リストからなるウェブページを、上記携帯電話端末機の上記表示画面に表示させる。
【００１２】
また、上述した目的を達成する本発明にかかる情報検索サーバは、携帯電話端末機からの要求に応じて、当該携帯電話端末機によってアクセス可能なウェブサイトを検索する情報検索サーバであって、検索対象としてのコンテンツの特定情報を掲載しているウェブサイトを開設している複数のウェブサーバにアクセスする手段と、上記ウェブサーバが開設しているウェブサイトにおけるウェブページから上記特定情報を項目として抽出する手段と、抽出した各項目をインデックスとして作成する手段と、上記インデックスに基づく検索結果を示す情報を上記携帯電話端末機に対して送信する手段とを備えることを特徴としている。
【００１３】
さらに、上述した目的を達成する本発明にかかる情報検索方法は、携帯電話端末機からの要求に応じて、当該携帯電話端末機によってアクセス可能なウェブサイトを検索する情報検索方法であって、検索対象としてのコンテンツの特定情報を掲載しているウェブサイトを開設している複数のウェブサーバにアクセスする工程と、上記ウェブサーバが開設しているウェブサイトにおけるウェブページから上記特定情報を項目として抽出する工程と、抽出した各項目をインデックスとして作成する工程と、上記インデックスに基づく検索結果を示す情報を上記携帯電話端末機に対して送信する工程とを備えることを特徴としている。
【００１４】
さらにまた、上述した目的を達成する本発明にかかる情報検索プログラムは、携帯電話端末機からの要求に応じて、当該携帯電話端末機によってアクセス可能なウェブサイトを検索するコンピュータ実行可能な情報検索プログラムであって、検索対象としてのコンテンツの特定情報を掲載しているウェブサイトを開設している複数のウェブサーバにアクセスする処理と、上記ウェブサーバが開設しているウェブサイトにおけるウェブページから上記特定情報を項目として抽出する処理と、抽出した各項目をインデックスとして作成する処理と、上記インデックスに基づく検索結果を示す情報を上記携帯電話端末機に対して送信する処理とを備えることを特徴としている。
【００１５】
このような本発明にかかる情報検索サーバ、情報検索方法、及び情報検索プログラムにおいては、ウェブサーバが開設しているウェブサイトにおけるウェブページから特定情報を項目として抽出し、抽出した各項目をインデックスとして作成し、このインデックスに基づく検索結果を示す情報を携帯電話端末機に対して送信することから、複数のウェブサーバのそれぞれに格納されているウェブページを検索対象とする専用の検索エンジンを提供することができる。
【発明の効果】
【００１６】
本発明においては、複数のウェブサーバのそれぞれに格納されているウェブページを検索対象とする専用の検索エンジンを提供することができることから、ユーザの負担を強いることなく、所望のコンテンツを極めて容易に検索することができる。
【発明を実施するための最良の形態】
【００１７】
以下、本発明を適用した具体的な実施の形態について図面を参照しながら詳細に説明する。
【００１８】
この実施の形態は、携帯電話端末機によってアクセス可能なウェブサイトを検索する情報検索システムである。特に、この情報検索システムは、複数のウェブサーバが開設している商品を購入可能なショッピングサイトや商品の競売を行うオークションサイト等の特定情報を掲載しているウェブサイトを一括して検索することができるものである。
【００１９】
なお、以下では、説明の便宜上、複数のショッピングサイトを検索対象とする場合について説明する。
【００２０】
情報検索システムは、図１に示すように、ユーザが所持する携帯電話端末機１０と、この携帯電話端末機１０からの要求に応じてウェブサイトの検索を行う情報検索サーバ２０と、この情報検索サーバ２０の検索対象としてのウェブサイトを開設している複数のウェブサーバ３０，・・・とを備える。
【００２１】
携帯電話端末機１０は、インターネットに接続可能ないわゆるブラウザフォンとして構成され、携帯電話網を介して図示しないゲートウェイサーバと接続される。ゲートウェイサーバは、インターネット網を介して情報検索サーバ２０やウェブサーバ３０，・・・と接続される。したがって、携帯電話端末機１０は、このようなゲートウェイサーバとの間で所定のプロトコルにしたがって通信を行うことにより、情報検索サーバ２０やウェブサーバ３０，・・・と接続可能とされる。携帯電話端末機１０は、後に詳述するように、情報検索サーバ２０によって提供される検索を行うための所定の検索サイトにアクセスすることにより、複数のウェブサーバ３０，・・・によって提供される商品の紹介等を示す特定情報を検索することができる。
【００２２】
情報検索サーバ２０は、コンピュータ実行可能な所定の情報検索プログラムを実行することにより、複数のウェブサーバ３０，・・・が開設しているウェブサイトを巡回してその情報を収集するいわゆるロボット型検索を行うものとして構成される。具体的には、情報検索サーバ２０は、携帯電話端末機１０によってアクセス可能な検索サイトを開設し、当該携帯電話端末機１０からのアクセスに応じて、当該検索サイトのウェブページを当該携帯電話端末機１０の表示画面に表示させる。そして、情報検索サーバ２０は、携帯電話端末機１０の表示画面に表示されたウェブページを介して入力された情報に基づいて、複数のウェブサーバ３０，・・・が開設しているウェブサイトにアクセスし、当該ウェブサイトによって提供される商品の紹介等を示す特定情報を抽出し、抽出した各項目をインデックスとして作成し、検索結果を携帯電話端末機１０の表示画面に表示させる。具体的には、情報検索サーバ２０は、特定情報を構成する語句の一致、及び特定情報としての商品の価格や紹介用画像データの有無を、検索対象とする基本要素とし、複数のウェブサーバ３０，・・・によって提供されるショッピングサイトの商品のみを対象とした検索結果を携帯電話端末機１０の表示画面に表示させる。
【００２３】
ウェブサーバ３０，・・・は、ショッピングサイトを提供するものであり、取り扱っている商品の紹介等の特定情報をデータベースとして記憶するとともに、これら特定情報を掲載したウェブサイトを開設する。そして、ウェブサーバ３０，・・・は、ウェブサイトにアクセスしてきた情報検索サーバ２０の要求に応じて特定情報を提供する。なお、ウェブサーバ３０，・・・は、情報検索サーバ２０によるロボット型検索の対象として設けられるものであり、情報検索サーバ２０による巡回に応じて、ウェブサイトの情報を当該情報検索サーバ２０に対して提供する。
【００２４】
このような携帯電話端末機１０、情報検索サーバ２０、及びウェブサーバ３０，・・・から構成される情報検索システムは、ウェブサーバ３０，・・・に開設されている携帯電話端末機１０によってアクセス可能なウェブサイトを情報検索サーバ２０によって検索する。
【００２５】
情報検索サーバ２０は、図２に示すように、少なくとも、各部を統括的に制御する制御部２１と、各種プログラムを含む各種情報を格納する読み取り専用のＲＯＭ（Read Only Memory）２２と、ワークエリアとして機能するＲＡＭ（Random Access Memory）２３と、各種情報を読み出し及び／又は書き込み可能に記憶する記憶部２４と、携帯電話端末機１０やウェブサーバ３０，・・・との間で通信を行う通信部２５とを有する。
【００２６】
制御部２１は、例えばＣＰＵ（Central Processing Unit）等から構成され、ＲＯＭ２２に格納されている情報検索プログラムをはじめとする各種プログラムを実行し、各部を統括的に制御する。
【００２７】
ＲＯＭ２２は、情報検索プログラムをはじめとする各種情報を格納している。このＲＯＭ２２に格納されている情報は、制御部２１の制御のもとに読み出される。
【００２８】
ＲＡＭ２３は、制御部２１が各種プログラムを実行する際のワークエリアとして機能し、制御部２１の制御のもとに、各種情報を一時記憶するとともに、記憶している各種情報を読み出す。
【００２９】
記憶部２４は、例えば、ハードディスクや、これらハードディスクを複数台用いていわゆるＲＡＩＤ（Redundant Arrays of Independent (Inexpensive) Disks）構成とした装置といった所定の記憶装置から構成される。記憶部２４は、制御部２１の制御のもとに、各種画像データや音声データをはじめとする各種情報を記憶するとともに、記憶している各種情報を読み出す。
【００３０】
通信部２５は、制御部２１の制御のもとに、図示しないゲートウェイサーバを介して携帯電話端末機１０との間で通信を行うとともに、インターネット網に接続されたウェブサーバ３０，・・・との間で通信を行う。具体的には、通信部２５は、携帯電話端末機１０からのアクセスに応じて、検索サイトのウェブページデータを当該携帯電話端末機１０に対して送信するとともに、当該携帯電話端末機１０から送信された情報を受信する。また、通信部２５は、ウェブサーバ３０，・・・が開設するウェブサイトを巡回することによって当該ウェブサーバ３０，・・・との間で情報の授受を行う。そして、通信部２５は、携帯電話端末機１０に対して検索結果を示すデータを送信する。特に、通信部２５は、後述するように、検索対象としてのウェブサイトを開設している複数のウェブサーバ３０，・・・にアクセスする手段として機能するとともに、検索結果を示す情報を携帯電話端末機１０に対して送信する手段として機能する。
【００３１】
なお、情報検索サーバ２０は、これら各部の他に、例えば当該情報検索サーバ２０を管理する管理者が操作を行うための操作部や各種情報を表示する表示部を備えてもよい。
【００３２】
このような情報検索サーバ２０は、制御部２１の制御のもとに、所定の情報検索プログラムを実行し、ウェブサーバ３０，・・・に開設されている携帯電話端末機１０によってアクセス可能なウェブサイトによって提供されるウェブページやそのウェブページに掲載されている特定情報を検索する。
【００３３】
具体的には、情報検索システムにおいては、例えば図３に示す一連の工程を経ることにより、情報検索サーバ２０によって携帯電話端末機１０のユーザが所望するウェブページやコンテンツを検索することができる。
【００３４】
まず、情報検索システムにおいては、同図に示すように、ステップＳ１において、検索対象とする特定情報を掲載しているウェブサイトについて、商品名や価格、ブランド名等の表示構造を示すテンプレートを予め作成しておく。そして、情報検索サーバ２０は、ステップＳ２において、ロボットによってウェブサーバ３０，・・・が開設しているウェブサイトによって提供されるウェブページを巡回し、ステップＳ３において、ある特定情報を掲載しているウェブサイトによって提供される任意のウェブページにアクセスする。なお、情報検索サーバ２０は、ロボット型検索の手法として、いわゆるクロウラーやスパイダーといったロボットによる既存のものを用いることができる。
【００３５】
そして、情報検索サーバ２０は、ステップＳ４において、ステップＳ１にて作成されたテンプレートのうち、アクセスしたウェブサイトについてのテンプレートに基づいて、当該ウェブページの構文解析を行い、商品名や価格、ブランド名等の特定情報を項目として抽出し、ステップＳ５において、抽出した各項目をインデックスとして作成し、記憶部２４等にデータベースとして記憶する。
【００３６】
情報検索システムにおいては、このような一連の処理を、情報検索サーバ２０によって検索対象としての全てのウェブサーバ３０，・・・を巡回して行い、作成したインデックスに基づいて、検索結果を示す情報を、通信部２５を介して携帯電話端末機１０に対して送信する。
【００３７】
このような情報検索サーバ２０による検索を行うために、当該情報検索サーバ２０は、携帯電話端末機１０によって閲覧可能な検索サイトを開設する。携帯電話端末機１０は、この検索サイトにアクセスすることにより、例えば図４乃至図７に示すような画面を表示画面に表示する。ユーザは、この画面を介して、購入したい商品についての検索条件の入力や検索結果の閲覧を行うことができる。
【００３８】
具体的には、携帯電話端末機１０においては、情報検索サーバ２０が開設する検索サイトにアクセスすると、例えば図４に示すようなウェブページが表示画面に表示される。このウェブページには、例えば、購入したい商品の商品名や価格、ブランド名、商品を購入したい店舗名等、検索キーワードを入力するためのキーワード入力ボックス１０１と、検索を開始するための検索開始ボタン１０２とが設けられる。携帯電話端末機１０のユーザは、少なくともキーワード入力ボックス１０１に対して所望のキーワードを入力することによって検索条件を指定する。なお、同図においては、"腕時計"の購入を希望している場合について示している。
【００３９】
そして、情報検索サーバ２０は、携帯電話端末機１０のユーザによって検索開始ボタン１０２が押下されるのに応じて、作成したインデックスに基づいて検索条件に合致したウェブページを検索する。
【００４０】
このとき、情報検索サーバ２０は、キーワード入力ボックス１０１に入力されたキーワードとインデックスとして作成された特定情報を構成する語句との一致、及び特定情報としての商品の価格や紹介用画像データの有無を判断することにより、検索されたウェブページのランク付けを行う。
【００４１】
具体的には、情報検索サーバ２０は、かかる語句の一致を最大値のないものとし、商品名、商品を取り扱っている店舗名、商品を掲載するウェブページに存在する当該商品を紹介する説明文、及び商品が属するカテゴリ名の４つの項目を総合的に判断し、これらのうち少なくとも３つの項目の中に、キーワードが全て含まれている場合に、一致したものと判断する。なお、一致とは、完全一致は勿論のこと、時計とウォッチ等、同義語や類義語等も含む概念である。
【００４２】
また、情報検索サーバ２０は、語句が一致した場合に、所定の点数を割り振ることによって検索されたウェブページのランク付けを行い、携帯電話端末機１０の表示画面に表示させる検索結果を作成するが、単に一致したのみでは割り振らず、以下の特定条件に基づいて評価を行うようにする。
【００４３】
まず、情報検索サーバ２０は、「語句の完全一致」を第１の特定条件として、これを満たした場合に所定の点数を加算する。すなわち、情報検索サーバ２０は、上述した商品名、店舗名、説明文、及びカテゴリ名の各項目を構成する１つの語句とキーワードとが完全一致した場合には、そのウェブページについて例えば１００ポイント加算し、重複する語句については加算しないようにする。また、情報検索サーバ２０は、全ての項目の語句とキーワードとが完全に同一であった場合には、そのウェブページについて例えば１０００ポイント加算するようにする。
【００４４】
また、情報検索サーバ２０は、「プラス評価の特定語句の存在」を第２の特定条件として、これを満たした場合に所定の点数を加算する。すなわち、情報検索サーバ２０は、上述した説明文の中に、ある特定の語句が含まれていた場合に所定の点数を加算する。例えば、情報検索サーバ２０は、説明文の中に、「送料無料」や「手数料無料」等、ユーザの便宜を図る語句が含まれている場合には、優良なウェブサイトであると判断してプラス評価し、そのウェブページについて１００ポイント加算するようにする。
【００４５】
さらに、情報検索サーバ２０は、「マイナス評価の特定語句の存在」を第３の特定条件として、これを満たした場合に所定の点数を減算する。すなわち、情報検索サーバ２０は、上述した説明文の中に、ある特定の語句が含まれていた場合に所定の点数を減算する。例えば、情報検索サーバ２０は、説明文の中に、「在庫切れ」や「売り切れ」等、ユーザに不利益を与える語句が含まれている場合にはマイナス評価し、そのウェブページについて１００ポイント減算するようにする。
【００４６】
情報検索サーバ２０は、このような特定条件に基づいて評価を行うことにより、適切な検索結果を作成することができる。
【００４７】
また、情報検索サーバ２０は、商品の価格や紹介用画像データの有無を判断し、上述した点数を無視したランク付けの要素として用いる。すなわち、情報検索サーバ２０は、紹介用画像データが含まれているウェブページを無条件で優先するとともに、ユーザによって選択される検索条件の１つとして商品の価格があった場合には、その価格に含まれる商品を掲載するウェブページを無条件で優先する。情報検索サーバ２０は、これら商品の価格や紹介用画像の有無について上述した点数よりも優先して判断する。
【００４８】
情報検索サーバ２０は、このようにして検索されたウェブページのランク付けを行うことによって検索結果を作成すると、例えば図５又は図６に示すように、検索した商品の商品名、価格、簡単な説明文、及び必要に応じて上述した紹介用画像データに基づく３ＫＢ以下のサイズからなる商品のサムネイル画像によって商品を紹介した検索結果一覧リスト１０３からなるウェブページを、検索結果として携帯電話端末機１０の表示画面に表示させる。なお、図５には、サムネイル画像を表示した検索結果一覧リスト１０３からなるウェブページを示し、図６には、サムネイル画像を表示しない検索結果一覧リスト１０３からなるウェブページを示している。ここで、この検索結果一覧リスト１０３における商品名は、選択可能なリンク１０４として構成される。情報検索サーバ２０は、この検索結果一覧リスト１０３の中から所望の商品名が携帯電話端末機１０のユーザによって選択されるのに応じて、例えば図７に示すように、当該商品を掲載している元のウェブページにアクセスし、当該ウェブページを当該携帯電話端末機１０の表示画面に表示させる。
【００４９】
また、検索結果一覧リスト１０３には、画像ボタン１０５が設けられている。情報検索サーバ２０は、この画像ボタン１０５が携帯電話端末機１０のユーザによって押下されるのに応じて、商品単位でサムネイル画像の表示／非表示を切り替えることもできる。さらに、図５又は図６に示すウェブページには、検索結果の表示順序を指定するためのラジオボタン１０６が設けられており、情報検索サーバ２０は、このラジオボタン１０６が携帯電話端末機１０のユーザによって選択されるのに応じて、検索結果の表示順序を並べ替え、当該携帯電話端末機１０の表示画面に表示させる。さらにまた、このウェブページには、所望の価格範囲を入力する価格入力ボックス１０７が設けられており、情報検索サーバ２０は、携帯電話端末機１０のユーザによって価格入力ボックス１０７に価格が入力されるのに応じて、該当する商品を絞り込み、検索結果一覧リスト１０３を再作成し、当該携帯電話端末機１０の表示画面に表示させる。
【００５０】
このように、情報検索システムにおいては、情報検索サーバ２０により、複数のウェブサーバ３０，・・・のそれぞれに格納されているウェブページを検索対象とする専用の検索エンジンを提供し、商品そのものを紹介する一覧リストを携帯電話端末機１０の表示画面に表示させることができる。したがって、情報検索システムにおいては、ユーザの負担を強いることなく、所望の商品を極めて容易に検索することができる。
【００５１】
なお、本発明は、上述した実施の形態に限定されるものではない。例えば、上述した実施の形態では、特定情報を掲載しているウェブサイトについての表示構造を示すテンプレートを予め作成しておき、このテンプレートに基づいて、特定情報の抽出を行うものとして説明したが、本発明は、ショッピングサイト等の種別を識別する所定のタグや、特定情報に該当する語句を識別する所定のタグを用いて、ウェブサーバ３０，・・・によって開設される各ウェブサイトのウェブページを作成させ、ロボットによるウェブページの巡回の際に、このタグに基づいて、所望の種別のウェブサイトにおける特定情報の抽出を行うようにしてもよい。
【００５２】
また、上述した実施の形態では、ショッピングサイトを検索対象とする場合について説明したが、本発明は、例えば、オークションサイト、ブログ検索サイト、友達検索サイト等、任意のコンテンツの特定情報を掲載するウェブページを検索するものであればいかなるものであっても適用することができる。
【００５３】
さらに、上述した実施の形態では、携帯電話端末機１０の表示画面に表示させる検索サイトのウェブページとして、図４乃至図７に示した構成のものを用いて説明したが、本発明は、検索結果として、検索した商品等のコンテンツそのものにリンクするための情報を設けるものであれば、かかる画面構成以外のウェブページを表示させるようにしてもよい。
【００５４】
さらにまた、上述した実施の形態では、サムネイル画像がある検索結果については、そのサムネイル画像を携帯電話端末機１０の表示画面に表示させるものとして説明したが、本発明は、携帯電話端末機１０の資源的に適さないサイズのサムネイル画像である場合には、検索結果として当該携帯電話端末機１０の表示画面に表示させないようにしてもよい。
【００５５】
このように、本発明は、その趣旨を逸脱しない範囲で適宜変更が可能であることはいうまでもない。
【図面の簡単な説明】
【００５６】
【図１】本発明の実施の形態として示す情報検索システムの構成を説明する図である。
【図２】同情報検索システムにおける情報検索サーバの構成を説明するブロック図である。
【図３】同情報検索システムにおける情報検索サーバによって検索を行う際の一連の工程を説明するフローチャートである。
【図４】同情報検索システムにおける携帯電話端末機の表示画面に表示される画面例を説明する図であって、情報検索サーバが開設する検索サイトにアクセスした際に表示される画面例を説明する図である。
【図５】同情報検索システムにおける携帯電話端末機の表示画面に表示される画面例を説明する図であって、サムネイル画像を表示した検索結果を表示する画面例を説明する図である。
【図６】同情報検索システムにおける携帯電話端末機の表示画面に表示される画面例を説明する図であって、サムネイル画像を表示しない検索結果を表示する画面例を説明する図である。
【図７】同情報検索システムにおける携帯電話端末機の表示画面に表示される画面例を説明する図であって、検索された商品を掲載している元のウェブページを表示する画面例を説明する図である。
【符号の説明】
【００５７】
１０  携帯電話端末機
２０  情報検索サーバ
２１  制御部
２２  ＲＯＭ
２３  ＲＡＭ
２４  記憶部
２５  通信部
３０，・・・  ウェブサーバ
【図１】
2006189980.tif 000003
【図２】
2006189980.tif 000004
【図３】
2006189980.tif 000005
【図４】
2006189980.tif 000006
【図５】
2006189980.tif 000007
【図６】
2006189980.tif 000008
【図７】
2006189980.tif 000009